(57)【要約】【課題】  ユーザ各々でニュースヘッドラインに対しコメントをつけ、ユーザ間でコメントに対し評価を行うことで世論の関心が高いコメントを優先して表示する方法及びシステム提供すること。【解決手段】  表示システム（ホストシステム）が、コメントデータベース、ユーザ管理データベース及びヘッドライン格納データベースを更新する更新手段と、ユーザ端末からの要求に応じて、該要求に含まれるコメントをコメントデータベースから読出す検索手段と、検索したコメントを吹き出しとしてヘッドラインに表示するデータ表示手段と、ヘッドラインニュースをニュースヘッドライン総括サービスから検索する検索手段を備え、ユーザ端末から要求に応じてユーザ端末の表示部に既存のヘッドラインニュース総括サービスのＷｅｂページを表示したうえ、前記データ表示手段により前記コメントデータベースから読み出したコメントを付加した形式で表示することを特徴とする。【選択図】      図１
2014067348.tif 000002
【特許請求の範囲】
【請求項１】
コメントデータベース、ユーザ管理データベース及びヘッドライン格納データベースを備えたホストシステムから成り、ニュースヘッドライン総括サービスが提供するニュースヘッドラインへのコメント表示するシステムであって、
前記ホストシステムが、前記コメントデータベース、ユーザ管理データベース及びヘッドライン格納データベースを更新する更新手段と、ネットワークを介したパソコン等のユーザ端末からの要求に応じて、該要求に含まれるコメントをコメントデータベースから読出す検索手段と、検索したコメントを吹き出しとしてヘッドラインに表示するデータ表示手段と、ヘッドラインニュースをニュースヘッドライン総括サービスから検索するヘッドラインニュース検索手段を備え、ユーザ端末から要求に応じてユーザ端末の表示部に既存のヘッドラインニュース総括サービスのＷｅｂページを表示したうえ、前記データ表示手段により前記コメントデータベースから読み出したコメントを付加した形式で表示することを特徴とするニュースヘッドラインへのコメント表示システム。
【請求項２】
コメントデータベース、ユーザ管理データベース及びヘッドライン格納データベースを備えたホストシステムから成り、ニュースヘッドライン総括サービスが提供するニュースヘッドラインへのコメント表示する方法であって、
前記ホストシステムが、前記コメントデータベース、ユーザ管理データベース及びヘッドライン格納データベースを更新するステップと、ネットワークを介したパソコン等のユーザ端末からの要求に応じて、該要求に含まれるコメントをコメントデータベースから読出すステップと、検索したコメントを吹き出しとしてヘッドラインに表示するステップと、ヘッドラインニュースをニュースヘッドライン総括サービスから検索するステップと、ユーザ端末から要求に応じてユーザ端末の表示部に既存のヘッドラインニュース総括サービスのＷｅｂページを表示したうえ、前記データ表示手段により前記コメントデータベースから読み出したコメントを付加した形式で表示するステップを実行することを特徴とするニュースヘッドラインへのコメント表示方法。
【発明の詳細な説明】
【技術分野】
【０００１】
本発明は、複数のニュースヘッドライン総括サービスが提供するニュースヘッドライン（記事の見出し）に対しユーザのコメントを付加して表示する方法及びシステムに関するものである。
【背景技術】
【０００２】
昨今ではインターネットの普及を背景に、情報発信媒体としてニュースサイトが増加している。新聞各社やテレビ放送局各社も独自のニュースサイトを開設し、広く世界に情報を発信している。
このニュースサイトの増加のため、インターネットユーザは膨大な情報を得ることができる反面、すべての情報を正確に知ることが困難となっている。そういった場合、記事本文は読まず、ニュースヘッドライン総括サービスを利用し、ヘッドラインのみで凡その内容を把握することが一般的である。しかし、ヘッドラインでは同一の内容を扱ったニュースサイトが多々あり、ヘッドラインのみで記事の背景やニュースサイトごとの論調の違い等要点を把握することは困難であり、またニュースサイトの主観で記事を扱う場合が多く、客観的な世論の意見が不透明になるという問題があった。
【先行技術文献】
【特許文献】
【０００３】
【特許文献１】特開２０１０−１７６６６６号公報
【特許文献２】特開２０１１−６５６３３号公報
【特許文献３】特開２０１２−６４１６６号公報
【発明の概要】
【発明が解決しようとする課題】
【０００４】
特許文献３には記事の作成，配信及びユーザごとに興味の高い記事を適切に配置するシステムについて記載されているが、一般ユーザが作成した記事を興味の高い分野において情報を収集するに留まるため、一般ユーザの取材力で執筆した偏った意見や誤報が記事化される可能性が大いにある。
【０００５】
本発明は、既存のニュースヘッドラインサービスを利用し、ユーザ各々でニュースヘッドラインに対しコメントを付け、ユーザ間でコメントに対し評価を行うことで世論の関心が高いコメントを優先して表示するコメント表示方法及びシステムを提供することを目的とする。
【課題を解決するための手段】
【０００６】
上記目的を達成するために、本発明のニュースヘッドライン総括サービスが提供するニュースヘッドラインへのコメント表示システムは、コメントデータベース、ユーザ管理データベース及びヘッドライン格納データベースを備えたホストシステムから成り、ニュースヘッドライン総括サービスが提供するニュースヘッドラインへのコメント表示するシステムであって、
前記ホストシステムが、前記コメントデータベース、ユーザ管理データベース及びヘッドライン格納データベースを更新する更新手段と、ネットワークを介したパソコン等のユーザ端末からの要求に応じて、該要求に含まれるコメントをコメントデータベースから読出す検索手段と、コメントを吹き出しとしてヘッドラインに表示するデータ表示手段と、ヘッドラインニュースをニュースヘッドライン総括サービスから検索するヘッドラインニュース検索手段を備え、ユーザ端末から要求に応じてユーザ端末の表示部に既存のヘッドラインニュース総括サービスのＷｅｂページを表示したうえ、前記データ表示手段により前記コメントデータベースから読み出したコメントを付加した形式で表示することを特徴とする。
【０００７】
また、本発明のニュースヘッドライン総括サービスが提供するニュースヘッドラインへのコメント表示方法は、コメントデータベース、ユーザ管理データベース及びヘッドライン格納データベースを備えたホストシステムから成り、ニュースヘッドライン総括サービスが提供するニュースヘッドラインへのコメント表示する方法であって、
前記ホストシステムが、前記コメントデータベース、ユーザ管理データベース及びヘッドライン格納データベースを更新するステップと、ネットワークを介したパソコン等のユーザ端末からの要求に応じて、該要求に含まれるコメントをコメントデータベースから読出すステップと、コメントを吹き出しとしてヘッドラインに表示するステップと、ヘッドラインニュースをニュースヘッドライン総括サービスから検索するステップと、ユーザ端末から要求に応じてユーザ端末の表示部に既存のヘッドラインニュース総括サービスのＷｅｂページを表示したうえ、前記データ表示手段により前記コメントデータベースから読み出したコメントを付加した形式で表示するステップを実行することを特徴とする。
【発明の効果】
【０００８】
本発明のニュースヘッドライン総括サービスへのコメント表示システムによれば、次のような効果がある。
（１）ユーザにあっては、ニュースヘッドライン総括サービスのＷｅｂページから記事本文のページに移動することなく、記事に関するユーザのコメントや評価を得ることができ、同時に同一記事を取り扱った複数のニュースサイトの記事に対する論調の差を知ることができる。
【図面の簡単な説明】
【０００９】
【図１】本発明の実施の形態を示すシステム構成図である。
【図２】コメントデータベースに格納されているデータの構成図である。
【図３】ヘッドライン格納データベースに格納されているデータの構成図である。
【図４】ユーザ管理データベースに格納されているデータの構成図である。
【図５】コメント表示システムを利用する際のフローチャートである。
【図６】利用者がコメント表示システムを利用して得られた情報の表示例である。
【発明を実施するための形態】
【００１０】
図１は、本発明の一実施形態を示すシステム構成図である。
まず、図１を参照してニュースヘッドライン総括サービスへのコメント表示システムの構成を説明する。
この実施例のニュースヘッドライン総括サービスへのコメント表示システムは、システムの制御を司るホストシステム１０１を有し、過去のコメントを保管するためのコメントデータベース１１１と、過去に取得したニュースヘッドライン総括サービスの記事情報を格納するヘッドライン格納データベース１１２と、ニュースヘッドライン総括サービスへのコメント表示システムを利用するユーザ情報を格納するユーザ管理データベース１１３と接続されている。
【００１１】
ホストシステム１０１内ではニュースヘッドライン総括サービス１００から最新のヘッドラインを取得し、ヘッドライン格納データベース１１２に格納するためのヘッドラインニュース検索部１２１と、取得した最新ヘッドラインに登録されているコメントをコメントデータベース１１１から検索するコメント検索部１２２と、取得した最新ヘッドラインニュースと関連するコメントをＷｅｂページ上で表示するために編集を行うコメント表示部１２３と、ユーザがコメントを入力を行ったり、新規のユーザがユーザ登録を行った際にコメントデータベース１１１を更新するコメント／ユーザ更新部１２４が存在する。
【００１２】
これらのシステムを利用するため、ユーザはパソコン等の端末１３１を利用する。パソコン等の端末１３１を用いて公衆回線網を経由し、ニュースヘッドライン総括サービスへのコメント表示システムにアクセスし、付属するキーボード等の入力部１３２より参照するニュースサイトの選択やコメントの入力を行う。
ユーザはホストシステム１０１内のコメント表示部１２３で編集されたニュースヘッドライン総括サービスのＷｅｂページをモニタ等の表示部１３３を通して閲覧することができる。
【００１３】
図２は、図１のホストシステム１０１上に保持するコメントデータベース１１１のデータ構成図の一例であり、コメントＩＤ２０１、コメント２０２、コメント評価値２０３、ユーザＩＤ２０４、記事ＩＤ２０５から構成され、それぞれ各コメントごとのユニークなＩＤ、ユーザが入力したコメント、他ユーザからのコメントに対する評価値、コメントを入力したユーザのＩＤ、コメントを入力した対象の記事ＩＤが登録されている。
ここで例えば記事ＩＤ「０００００００１」の記事に対し、ユーザＩＤ「１００００００１」のユーザが「○×△」というコメントを記入した場合、コメントＩＤ２０１にはユニークなＩＤが格納され、コメント２０２には「○×△」が、コメント評価値２０３には初期値として「０」が、ユーザＩＤ２０４には「１００００００１」が、記事ＩＤ２０５には「０００００００１」が格納される。
【００１４】
図３は、図１のホストシステム１０１上に保持するヘッドライン格納データベース１１２のデータ構成図の一例であり、記事ＩＤ３０１（図２の記事ＩＤ２０５と同一）、記事名３０２、ヘッドラインサービス３０３、ヘッドライン掲載３０４、掲載日時３０５、掲載終了日時３０６、掲載元サイト３０７、登録タグ３０８の複数の構成からなる登録タグ群３０９から構成され、それぞれ記事ごとのユニークなＩＤ、ヘッドラインニュース総括サービス１００より取得した記事名、記事を取得したヘッドラインニュース総括サービス、ヘッドライン掲載状況（掲載中、掲載終了など）、ヘッドライン掲載日時、ヘッドライン掲載終了日時、掲載元となったサイト名、ユーザが編集したタグ群が登録されている。
【００１５】
ここで、例えば掲載元がａ新聞である記事名「Ａ氏汚職事件」をＧニュースヘッドライン総括サービスより２０１２年１月２３日に取得した場合、記事ＩＤ３０１にはユニークなＩＤが格納され、記事名３０２には「Ａ氏汚職事件」が、ヘッドラインサービス３０３には「Ｇニュースヘッドライン」が、ヘッドライン掲載３０４には「掲載中」が、掲載日時３０５には「２０１２０１２３」が、掲載終了日時３０６には初期値で「null」が、掲載元サイト３０７には「ａ新聞」が、登録タグ３０８には初期値で「null」が格納される。
【００１６】
ここで、Ｇヘッドラインニュース総括サイトの情報を２０１２年２月１日に再取得した際に現在ヘッドライン掲載３０４が「掲載中」である記事が検出できなかった場合、ヘッドライン掲載３０４は「掲載終了」に上書きされ、掲載終了日時３０６に「２０１２０２０１」が格納され、内容が更新される。
【００１７】
図４は、図１のホストシステム１０１上に保持するユーザ管理データベース１１３のデータ構成図の一例であり、ユーザＩＤ４０１（図２のユーザＩＤ２０４と同一）、ログインパスワード４０２、ユーザ名４０３、メールアドレス４０４、職業４０５、年齢４０６、性別４０７から構成され、それぞれユーザごとのユニークなＩＤ、ユーザ登録時にユーザが入力したログインパスワード、ユーザ登録時にユーザが入力したユーザ名、ユーザ登録時にユーザが入力したメールアドレス、ユーザ登録時にユーザが入力した職業、ユーザ登録時にユーザが入力した年齢、ユーザ登録時にユーザが入力した性別が登録されている。
【００１８】
ここで例えば「田中太郎」がログインパスワード「ｘｘｘｘｘｘｘｘ」、メールアドレス「ｘｘｘｘ＠ｘｘｘｘ．ｃｏ．ｊｐ」、職業「会社員」、年齢「２８」、性別「男」と入力し、ユーザ登録を行った場合、ユーザＩＤ４０１にはユニークなＩＤが格納され、ログインパスワード４０２には「ｘｘｘｘｘｘｘｘ」が、ユーザ名４０３には「田中太郎」が、メールアドレス４０４には「ｘｘｘｘ＠ｘｘｘｘ．ｃｏ．ｊｐ」が、職業４０５には「会社員」が、年齢４０６には初期値で「２８」が、性別４０７には「男」が格納される。
【００１９】
図５は、図２、図３、図４のデータベースを用いて、ニュースヘッドライン総括サービスへのコメント表示システムを利用する際の処理の概要を示すフローチャートである。
まず、ユーザはユーザＩＤ及びログインパスワードを入力し、ニュースヘッドライン総括サービスへのコメント表示システム（ホストシステム）へログインする。この際、システムはユーザ管理データベース１１３に登録されているユーザＩＤ及びログインパスワードを参照する（ステップ５０１）。
【００２０】
ステップ５０１でユーザＩＤ及びパスワードが一致した場合、システムはヘッドラインニュース検索部１２１を用いて最新のヘッドラインを取得し、ヘッドライン格納データベース１１２を更新する（ステップ５０２）。
ステップ５０２でヘッドライン格納データベース１１２を更新後、ユーザは参照するニュースヘッドライン総括サービスを決定する（ステップ５０３）。
【００２１】
ステップ５０３でニュースヘッドライン総括サービスを決定後、システムはコメント検索部１２２を用いて対象となるコメント（ヘッドライン格納データベース１１２のヘッドライン掲載欄３０４が「掲載中」となっているコメント）をコメントデータベース１１１より取得する（ステップ５０４）。
ステップ５０４で対象となるコメントを取得後、システムはコメント表示部１２３を用いてＷｅｂページ上にコメントを表示する（ステップ５０５）。
【００２２】
ステップ５０５でコメント付きのＷｅｂページを表示後、ユーザがコメントを入力する場合、コメント入力フォームよりコメントを入力する（ステップ５０６）。
コメントを入力しない場合、ユーザはＷｅｂページの閲覧後、システムからログアウトする。
ステップ５０６でコメントを入力後、コメント／ユーザ更新部１２４がコメントデータベース１１１を更新し、再度ステップ５０４を経た後ステップ５０５のコメントが表示されたＷｅｂページに戻る（ステップ５０７）。
【００２３】
図６は、図１におけるパソコン等の端末１３１からニュースヘッドライン総括サービスへのコメント表示システムに対し利用ユーザがシステムにアクセスして得られた結果を表示する画面イメージの一例である。
ユーザはＷｅｂブラウザ６０１を用いてニュースヘッドライン総括サービスへのコメント表示システムを利用する。
ユーザが閲覧できる項目として、ヘッドライン見出し及び掲載記事６０２、評価値の最も高いコメント６０３、コメントに対する評価値６０４、コメントごとの評価ボタン６０５、統計表示ボタン６０６、その他のコメント群６０７、その他のコメント群スクロールボタン６０８、各社の関連記事６０９、コメント入力フォーム６１０、コメント確定ボタン６１１、記事に登録されたタグ６１２、登録タグ編集ボタン６１３、ヘッドライン変更ボタン６１４、ヘッドライン更新ボタン６１５がある。
ユーザはヘッドライン見出し及び掲載記事６０２及び各社の関連記事６０８から記事に対する掲載元を選択し、評価値の最も高いコメント６０３及びその他のコメント群６０６を閲覧する。
【００２４】
ここで評価したいコメントがある場合、コメントごとの評価ボタン６０５を押下することで、コメントを評価することができる。コメント評価の結果はコメントに対する評価値６０４に数値を１加えることとなる。システムは各記事のコメントごとにコメントごとの評価値を対比し、最も評価値が高いコメント６０３を単独で記事左に表示し、その他のコメントをその他のコメント群スクロールボタン６０８でスクロール閲覧可能なその他のコメント群６０７に表示する。
【００２５】
また、統計表示ボタン６０６を押下することでシステムは各コメントごとの評価者の年齢層や性別等から統計を表示することが可能である。また、ユーザ自らコメントを入力する場合、コメント入力フォーム６１０へキーボード等の入力部１３２を用いてコメントを入力し、入力後コメント確定ボタン６１１を押下することでコメントがコメントデータベース１１１に反映され、Ｗｅｂページ上に表示される。
さらに、ユーザは記事に登録されたタグ６１２をタグ編集ボタン６１３から編集することが可能であり、記事に関連するキーワードを入力することができ、記事に登録されたタグ６１２を押下することで、同様のタグの記事を検索することも可能である。
【００２６】
ユーザはヘッドライン変更ボタン６１４を押下することで、現在表示しているヘッドラインニュース総括サイト以外のヘッドラインニュース総括サービスを表示することが可能であり、現在のヘッドラインニュース総括サイトの「最新情報」を取得したい場合、ヘッドライン更新ボタン６１５を押下することでヘッドラインニュース検索部が最新のヘッドラインニュースをヘッドライン格納データベース１１２へ格納し、コメント表示部１２３が最新のヘッドラインニュース総括サイトにコメントを付随し、表示する。
【００２７】
以上により、ユーザにあっては、ニュースヘッドライン総括サービスのＷｅｂページから記事本文のページに移動することなく、記事に関する情報を得ることができ、同時に同一記事を取り扱った複数のニュースサイトの記事に対する論調の差を知ることができる。
【符号の説明】
【００２８】
１０１    ホストシステム（コメント表示システム）、
１１１    コメントデータベース、１１２    ヘッドライン格納データベース
１１３    ユーザ管理データベース
１２１    ヘッドラインニュース検索部
１２２    コメント検索部
１２３    コメント表示部
１２４    コメント／ユーザ更新部
１３１    パソコン等の端末
【図１】
2014067348.tif 000003
【図２】
2014067348.tif 000004
【図３】
2014067348.tif 000005
【図４】
2014067348.tif 000006
【図５】
2014067348.tif 000007
【図６】
2014067348.tif 000008